(57)【要約】【課題】  インク裏移りを有効に防止でき、しかも、構成が簡易で、且つ、低コストである排紙装置を提供する。【解決手段】  排紙された印刷用紙Ｐの先端面ｐ１が突き当たり、突き当たった印刷用紙Ｐを反対方向に跳ね返らせる跳ね返りフェンス５３と、跳ね返りフェンス５３で跳ね返った印刷用紙Ｐの先端側の下面に干渉し、印刷用紙Ｐをその後端面ｐ２を下方とする落下姿勢に矯正する落下姿勢矯正部６０と、落下姿勢矯正部６０で落下姿勢が矯正された印刷用紙Ｐの落下位置での後端面ｐ２を規制する後面規制フェンス５８と、後面規制フェンス５８で後端面ｐ２が規制された印刷用紙Ｐの落下位置での先端面ｐ１を規制し、且つ、後面規制フェンス５８との間隔が上方位置に向かうに従って徐々に幅狭になるように傾斜して配置された前面規制フェンス５７とを有するカード排紙ボックス５０Ａを備えた。【選択図】      図６
2006151566.tif 000002
【特許請求の範囲】
【請求項１】
所定の処理がなされた用紙が排紙され、この排紙された用紙が落下して積載される載置台を有する排紙装置において、
排紙された用紙の先端面が突き当たり、この突き当たった用紙を反対方向に跳ね返らせる跳ね返りフェンスと、この跳ね返りフェンスで跳ね返った用紙の先端側の下面に干渉し、この用紙をその後端面を下方とする落下姿勢に矯正する落下姿勢矯正部と、この落下姿勢矯正部で落下姿勢が矯正された前記用紙の落下位置での後端面を規制する後面規制フェンスと、この後面規制フェンスで後端面が規制された前記用紙の落下位置での先端面を規制し、且つ、前記後面規制フェンスとの間隔が上方位置に向かうに従って徐々に幅狭になるように傾斜して配置された前面規制フェンスとを有するカード排紙ボックスを備えたことを特徴とする排紙装置。
【請求項２】
請求項１記載の排紙装置であって、
前記落下姿勢矯正部は、前記前面規制フェンスの上端部であることを特徴とする排紙装置。
【請求項３】
請求項１記載の排紙装置であって、
前記カード排紙ボックスは、前記前面規制フェンスと前記後面規制フェンスとの間の下面に配置され、前記後面規制フェンス側から前記前面規制フェンス側に向かって水平方向に対して上方に傾斜された傾斜補助載置台を有することを特徴とする排紙装置。
【請求項４】
請求項１記載の排紙装置であって、
前記カード排紙ボックスは、前記用紙の両側の側面を規制する左右一対のサイドフェンスを有することを特徴とする排紙装置。
【請求項５】
請求項１記載の排紙装置であって、
前記カード排紙ボックスは、前記載置台に着脱自在に設けられたことを特徴とする排紙装置。
【請求項６】
請求項５記載の排紙装置であって、
前記カード排紙ボックスは、少なくとも前記落下姿勢矯正部と前記後面規制フェンス及び前記前面規制フェンスが連結されたインナーフェンス体と、少なくとも前記跳ね返りフェンス及び左右の前記サイドフェンスが連結されたアウターフェンス体とから構成され、このアウターフェンス体に前記インナーフェンス体が着脱自在に設けられたことを特徴とする排紙装置。
【発明の詳細な説明】
【技術分野】
【０００１】
本発明は、印刷等の所定の処理がなされた名刺やはがき等のカード状用紙が順次排紙され、この排紙されるカード状用紙を積載する排紙装置に関する。
【背景技術】
【０００２】
この種の従来の排紙装置として、図１２及び図１３に示すものがある（例えば、特許文献１参照）。この排紙装置１００は、図１２及び図１３に示すように、所定の処理がなされた用紙Ｐの排紙位置に案内板１０１を介して小サイズ排紙装置１０２を有する。この小サイズ排紙装置１０２は、排紙本体１０３の四隅位置に上下方向にスパイラル状に配置された４本のスパイラル搬送体１０４と、この４本のスパイラル搬送体１０４をモータ１０５の駆動で回転させるモータ駆動手段１０６とを備えている。
【０００３】
上記構成において、用紙排出方向Ｔに排紙された用紙Ｐが案内板１０１を経て小サイズ排紙装置１０２内に排紙されると、用紙Ｐの四隅が各スパイラル搬送体１０４に支持される状態となる。
【０００４】
次に、モータ１０５が駆動してスパイラル搬送体１０４が回転する。このスパイラル搬送体１０４が回転すると、用紙Ｐが徐々に上方に移動される。そして、４本のスパイラル搬送体１０４の上方位置まで移動されると、ここで積載される。つまり、この従来例では、用紙Ｐが排紙されてから積載されるまでの時間をスパイラル搬送体１０４の搬送で稼ぐことによってインク裏移りを防止している。
【０００５】
他の従来例の排紙装置として、図１４及び図１５に示すものがある（例えば、特許文献２参照）。この排紙装置１１０は、図１４及び図１５に示すように、所定の処理がなされた用紙Ｐの排紙位置に小サイズ排紙ボックス１１１を有する。この小サイズ排紙ボックス１１１は、前方フェンス１１２と後方フェンス１１３と左右のサイドフェンス１１４とを有し、これらフェンス１１２，１１３，１１４によって内部に用紙Ｐより若干だけ大きいサイズの用紙落下空間１１５が形成されている。
【０００６】
上記構成において、用紙排出方向Ｔに排紙された用紙Ｐが小サイズ排紙ボックス１１１内に排紙されると、用紙Ｐが用紙落下空間１１５に入り込み、用紙Ｐが各フェンス１１２，１１３，１１４に前後左右を規制されつつ自重によって落下する。ここで、用紙落下空間１１５が用紙Ｐより若干だけ大きいために用紙Ｐは大きな空気抵抗を受けながらゆっくりと落下し、用紙Ｐは落下位置で積載される。つまり、この他の従来例では、用紙Ｐが排紙されてから積載されるまでの時間を落下速度を遅くすることによって稼ぐと共に、落下する用紙Ｐを垂直方向に落下させることによって用紙Ｐ同士のこすれ合いを防止してインク裏移りを防止している。
【特許文献１】特開平８−２７７１号公報
【特許文献２】特開２０００−６３０２６号公報
【発明の開示】
【発明が解決しようとする課題】
【０００７】
しかしながら、前記従来例では、スパイラル搬送体１０４及びそのモータ駆動手段１０６等が必要であるため、構成が複雑で、且つ、高コストであるという問題があった。
【０００８】
また、前記他の従来例では、構成が簡素で、且つ、低コストであるが、排紙から積載されるまでの時間が短時間であり、さらに、用紙Ｐ同士のこすれ合いが完全になくなるわけではなく、しかも、用紙Ｐ同士が最終的に密着して積載されるため、インク裏移りを有効に防止できないという問題があった。
【０００９】
そこで、本発明は、インク裏移りを有効に防止でき、しかも、構成が簡易で、且つ、低コストである排紙装置を提供することを目的とする。
【課題を解決するための手段】
【００１０】
上記目的を達成する請求項１の発明は、所定の処理がなされた用紙が排紙され、この排紙された用紙が落下して積載される載置台を有する排紙装置において、排紙された用紙の先端面が突き当たり、この突き当たった用紙を反対方向に跳ね返らせる跳ね返りフェンスと、この跳ね返りフェンスで跳ね返った用紙の先端側の下面に干渉し、この用紙をその後端面を下方とする落下姿勢に矯正する落下姿勢矯正部と、この落下姿勢矯正部で落下姿勢が矯正された前記用紙の落下位置での後端面を規制する後面規制フェンスと、この後面規制フェンスで後端面が規制された前記用紙の落下位置での先端面を規制し、且つ、前記後面規制フェンスとの間隔が上方位置に向かうに従って徐々に幅狭になるように傾斜して配置された前面規制フェンスとを有するカード排紙ボックスを備えたことを特徴とする。
【００１１】
請求項１の発明では、排紙された用紙が跳ね返りフェンスに突き当たり、突き当たった用紙が印刷排出方向の反対方向に跳ね返る。この跳ね返った用紙は、印刷排出方向の反対方向に進みつつ落下し、この落下過程で落下姿勢矯正部が用紙の先端側の下面に干渉する。この落下姿勢矯正部の干渉によって用紙がその後端面を下方とする落下姿勢となる。用紙の後端面が後面規制フェンスに突き当たり、後面規制フェンスによって落下位置における用紙の後端面が規制される。後面規制フェンスで後端面が規制された用紙は後端面を支点として前方に回転し、用紙の先端面が前面規制フェンスに突き当たり、前面規制フェンスが用紙の落下位置での先端面を規制する。このような挙動によって用紙がカード排紙ボックス内に順次落下される。ここで、後面規制フェンスと前面規制フェンス間の幅が上方位置になるに従って幅狭になっており、積載枚数が増えるに従って用紙の後端面の高さ位置に対して先端面が高い位置で前面規制フェンスに当接することから扇状に用紙が積載される。
【００１２】
請求項２の発明は、請求項１記載の排紙装置であって、前記落下姿勢矯正部は、前記前面規制フェンスの上端部であることを特徴とする。
【００１３】
請求項２の発明では、落下姿勢矯正部と前面規制フェンスが１枚の部材より形成される。
【００１４】
請求項３の発明は、請求項１記載の排紙装置であって、前記カード排紙ボックスは、前記前面規制フェンスと前記後面規制フェンスとの間の下面に配置され、前記後面規制フェンス側から前記前面規制フェンス側に向かって水平方向に対して上方に傾斜された傾斜補助載置台を有することを特徴とする。
【００１５】
請求項３の発明では、最下位置の用紙から傾斜して載置される。
【００１６】
請求項４の発明は、請求項１記載の排紙装置であって、前記カード排紙ボックスは、前記用紙の両側の側面を規制する左右一対のサイドフェンスを有することを特徴とする。
【００１７】
請求項４の発明では、用紙の左右の側面をサイドフェンスが規制する。
【００１８】
請求項５の発明は、請求項１記載の排紙装置であって、前記カード排紙ボックスは、前記載置台に着脱自在に設けられたことを特徴とする。
【００１９】
請求項５の発明では、用紙の積載に際してカード排紙ボックスを使用するパターンと使用しないパターンを選択できる。
【００２０】
請求項６の発明は、請求項５記載の排紙装置であって、前記カード排紙ボックスは、少なくとも前記落下姿勢矯正部と前記後面規制フェンス及び前記前面規制フェンスが連結されたインナーフェンス体と、少なくとも前記跳ね返りフェンス及び左右の前記サイドフェンスが連結されたアウターフェンス体とから構成され、このアウターフェンス体に前記インナーフェンス体が着脱自在に設けられたことを特徴とする。
【００２１】
請求項６の発明では、用紙が積載されたインナーフェンス体をアウターフェンス体より取り外すことができる。
【発明の効果】
【００２２】
請求項１の発明によれば、排紙された用紙が跳ね返りフェンスで印刷排出方向の反対方向に跳ね返り、この跳ね返った用紙が落下姿勢矯正部で干渉を受け、この干渉によって用紙がその後端面を下方とする落下姿勢となり、この用紙の後端面が後面規制フェンスに突き当たり、この用紙が後端面を支点として前方に回転して先端面が前面規制フェンスに突き当たる。このような挙動によって用紙がカード排紙ボックス内に順次落下される。ここで、後面規制フェンスと前面規制フェンス間の幅が上方位置になるに従って幅狭になっており、積載枚数が増えるに従って用紙の後端面の高さ位置に対して先端面が高い位置で前面規制フェンスに当接することから扇状に用紙が積載されるため、上下で隣接する用紙同士が隙間を空けて非接触状態や軽い接触状態で積載される。そして、このような扇状の積載を各種のフェンス及びフェンス間の寸法設定によってのみ実現している。これにより、インク裏移りを有効に防止でき、しかも、構成が簡易で、且つ、低コストである。
【００２３】
請求項２の発明によれば、構成の単純化及び部品点数の削減になる。
【００２４】
請求項３の発明によれば、最下位置の用紙から傾斜して載置されるため、下方に積載される用紙間の非接触状態や軽い接触状態を促進でき、インク裏移りをより確実に防止できる。
【００２５】
請求項４の発明によれば、積載される用紙の幅方向を紙揃えできる。
【００２６】
請求項５の発明によれば、カード排紙ボックスを装着することによってカード排紙ボックスを利用した用紙の積載が可能であり、また、カード排紙ボックスを取り外すことにより載置台を利用した用紙の積載が可能であり、便利である。
【００２７】
請求項６の発明によれば、用紙が積載されたインナーフェンス体をアウターフェンス体より取り外すことにより積載された用紙を容易に取り出すことができる。
【発明を実施するための最良の形態】
【００２８】
以下、本発明の実施形態を図面に基づいて説明する。
【００２９】
図１〜図１４は本発明の一実施形態を示し、図１は孔版印刷装置１の全体概略構成図である。
【００３０】
図１に示すように、孔版印刷装置１は、図示しない原稿読取部と、製版部３と、印刷部４と、給紙部５と、排紙装置である排紙部６と、排版部７とから主に構成されている。
【００３１】
原稿読取部は原稿を電気信号として読み取るものである。この読み取った情報は所定の指令（例えば、拡大、縮小等）に基づいて加工可能に構成されている。
【００３２】
製版部３は、ロール状に巻装された長尺状の孔版原紙１０を収容する原紙収容部１１と、この原紙収容部１１に対して孔版原紙１０の搬送方向の下流に配置されたガイド送りローラ９と、このガイド送りローラ９の搬送下流に配置された書込みヘッドである感熱ヘッド１２と、この感熱ヘッド１２の対向位置に配置され、ライトパルスモータ（図示せず）の駆動力により回転するプラテンローラ１３とを有する。
【００３３】
また、製版部３は、プラテンローラ１３及び感熱ヘッド１２と後述する版胴１６との間に配置された一対の原紙送りローラ１４，１５を有し、この下方の原紙送りローラ１４は、ライトパルスモータ（図示せず）の駆動力によりプラテンローラ１３に同期して回転されるようになっている。さらに、製版部３は、一対の原紙送りローラ１４，１５と前記プラテンローラ１３及び感熱ヘッド１２との間に配置された原紙カッタ（図示せず）を有し、この原紙カッタによって孔版原紙１０を切断するようになっている。
【００３４】
印刷部４は、同一径の版胴１６及び紙胴１７を有し、この版胴１６の外周面には原紙クランプ部１８が設けられ、この原紙クランプ部１８で孔版原紙１０の先端をクランプできる。原紙クランプ部１８以外の版胴１６の外周面には可撓性のスクリーン１９が張設されている。このスクリーン１９は少なくとも印刷領域において印刷圧の作用時にインクを通過可能に構成されている。版胴１６のスクリーンの内部にはインナーユニット２０が設けられている。このインナーユニット２０はロール支持部材４０を有し、このロール支持部材４０は支軸４１を中心に固定部材（図示せず）に回転自在に支持されている。ロール支持部材４０には中押しロール４２が回転自在に支持されており、この中押しロール４２はスクリーン１９を外周側に押圧する押圧位置（図１に示す状態）とスクリーン１９より内側に退出する待機位置との間で変移するようになっている。
【００３５】
また、ロール支持部材４０にはドクターロール４３及び駆動ロッド４４がそれぞれ設けられており、ドクターロール４３は中押しロール４２の近接位置でロール支持部材４０に固定されている。駆動ロッド４４はロール支持部材４０に回転自在に支持され、この駆動ロッド４４の周囲に図示しないインク供給部よりインク（図示せず）が供給されるようになっている。そして、供給されたインクはドクターロール４３とのギャップによって中押しロール４２への付着量が調整され、中押しロール４２を介してスクリーン１９の内周面に転移されるようになっている。
【００３６】
また、紙胴１７の外周面の所定箇所には用紙クランプ部２１が設けられ、この用紙クランプ部２１で用紙である印刷用紙Ｐの先端をクランプできるようになっている。
【００３７】
給紙部５は、用紙である印刷用紙Ｐが積層される給紙台２３と、この給紙台２３から最上位置の印刷用紙Ｐに圧接するスクレーパ２４と、このスクレーパ２４の下流に配置され、且つ、互いに略近接状態で位置するピックアップロール２５及びサバキロール２６と、このピックアップロール２５及びサバキロール２６の下流に配置され、且つ、互いに略近接状態で位置するガイドロール２７及びタイミングロール２８とを有する。スクレーパ２４の回転によって移動された印刷用紙Ｐはピックアップロール２５及びサバキロール２６で最上位置の印刷用紙Ｐのみの搬送が許容され、この搬送許容された１枚の印刷用紙Ｐは、ガイドロール２７及びタイミングロール２８の回転によって紙胴１７の回転に同期して搬送される。
【００３８】
排紙装置である排紙部６は、印刷が完了した印刷用紙Ｐの先端をガイドする上方規制ガイド部３１と、紙胴１７から剥離されない印刷用紙Ｐを剥ぎ取る用紙剥取り爪３２と、上方規制ガイド部３１でガイドされ、或いは、用紙剥取り爪３２で剥ぎ取られた印刷用紙Ｐを搬送する用紙搬送機構３３と、この用紙搬送機構３３によって搬送されて来た印刷用紙Ｐを積層状態で載置する載置台３４とを有する。
【００３９】
載置台３４には用紙排紙方向Ｔの前方位置に配置された大サイズ用前面フェンス３５ａと、左右一対の大サイズ用サイドフェンス３５ｂ，３５ｂとが設けられている。これらフェンス３５ａ，３５ｂ，３５ｂは載置台３４に立設する直立位置（図１の位置）と載置台３４に沿って傾倒する収容位置（図２の位置）との間で変移自在に設けられている。また、載置台３４には係止溝（図示せず）が設けられ、この係止溝を利用してカード排紙ボックス５０Ａが着脱自在に設けられている。
【００４０】
排版部７は、版胴１６の原紙クランプ部１８より解除された孔版原紙の先端を導く排版誘導ベルト３５と、この排版誘導ベルト３５より導かれた孔版原紙を版胴１６より引き剥がしながら搬送する一対の排版搬送ベルト３６，３６と、この一対の排版搬送ベルト３６，３６によって搬送されて来る孔版原紙を収納する排版ボックス３７とを有する。
【００４１】
次に、カード排紙ボックス５０Ａの構成を図２〜図６を用いて説明する。
【００４２】
図２は載置台３４上にカード排紙ボックス５０Ａが設置された状態を示す斜視図、図３はカード排紙ボックス５０Ａの分解斜視図、図４はカード排紙ボックス５０Ａの断面図、図５は小サイズの印刷用紙Ｐが排紙されてから載置されるまでの落下軌跡を説明する断面図、図６は小サイズの印刷用紙Ｐの積載状態を示す断面図である。
【００４３】
図２〜図４に示すように、カード排紙ボックス５０Ａは、小サイズの印刷用紙（カード状用紙）Ｐを印刷する際の用紙載置台として使用するものであり、アウターフェンス体５１と、このアウターフェンス体５１の内部に着脱自在に挿入できるインナーフェンス体５２Ａとから構成されている。
【００４４】
アウターフェンス体５１は、方形枠形状を有し、用紙排出方向Ｔの前方側に配置された跳ね返りフェンス５３と、用紙排出方向Ｔの後方位置側に配置された後面カバー５４と、後面カバー５４と跳ね返りフェンス５３の間で、且つ、用紙排出方向Ｔの直交方向の左右位置に配置された一対のサイドフェンス５５，５５と、跳ね返りフェンス５３と後面カバー５４及び一対のサイドフェンス５５，５５で囲まれる底面に配置された底面カバー６３とから構成されている。
【００４５】
跳ね返りフェンス５３は、用紙排出方向Ｔの直交方向に沿って配置され、用紙排出方向Ｔに排紙された小サイズの印刷用紙Ｐの先端面ｐ１が突き当たり、突き当たった印刷用紙Ｐを反対方向に跳ね返らせる。後面カバー５４は、排紙される用紙Ｐに干渉しないような高さ寸法に設定されている。左右一対のサイドフェンス５５，５５は、小サイズの印刷用紙Ｐより若干だけ大きい幅サイズに設定され、印刷用紙Ｐの左右側面を規制する。底面カバー６３は、内部に収容したインナーフェンス体５２Ａの脱落防止等のためのものである。
【００４６】
また、アウターフェンス体５１の下部には係止突起５６が下方に突設され、この係止突起５６を載置台３４の係止溝（図示せず）に挿入することによってカード排紙ボックス５０Ａを載置台３４の所定位置に装着できるようになっている。
【００４７】
インナーフェンス体５２Ａは、アウターフェンス体５１内で用紙排出方向Ｔの前方位置に配置された前面規制フェンス５７と、アウターフェンス体５１内で用紙排出方向Ｔの後方位置に配置された後面規制フェンス５８と、後面規制フェンス５８と前面規制フェンス５７との間の下面に水平に配置された水平補助載置台５９とから略コ字形状に形成されている。前面規制フェンス５７の上端部は、跳ね返りフェンス５３で跳ね返った印刷用紙Ｐの先端側の下面に干渉し、印刷用紙Ｐをその後端面ｐ２を下方とする落下姿勢に矯正する落下姿勢矯正部６０として形成されている。
【００４８】
後面規制フェンス５８は、落下姿勢矯正部６０で落下姿勢が矯正された印刷用紙Ｐの落下位置での後端面ｐ２を規制する。後面規制フェンス５８の上部は、前面規制フェンス５７との幅を大きくするテーパ部５８ａに形成されており、所定以上に跳ね返った印刷用紙Ｐを後面規制フェンス５８と前面規制フェンス５７間に落下させるようになっている。また、前面規制フェンス５７は、後面規制フェンス５８で後端面ｐ２が規制された印刷用紙Ｐの先端面ｐ１を規制する。そして、前面規制フェンス５７と後面規制フェンス５８は、その最下位置が小サイズの印刷用紙Ｐの用紙排出方向Ｔの長さとほぼ同一長さに設定されているが、互いに垂直方向に対し同じ方向に傾斜されている。前面規制フェンス５７の傾斜角Ａ１（図４に示す）より後面規制フェンス５８の傾斜角Ａ２（図４に示す）の方が大きく設定されており、これにより双方のフェンス５７，５８間の幅寸法が上方位置に向かうに従って徐々に幅狭になるように設定されている。
【００４９】
次に、上記孔版印刷装置１の動作を簡単に説明する。
【００５０】
製版部３では、プラテンローラ１３と原紙送りローラ１４の回転により孔版原紙１０を搬送し、原稿読取部で読取った画像情報に基づき感熱ヘッド１２の多数の発熱体が選択的に発熱動作することにより孔版原紙１０に感熱穿孔して孔版形成し、この孔版形成した孔版原紙１０の所定箇所を原紙カッタで切断して所望寸法の孔版原紙１０を作る。
【００５１】
印刷部４では、製版部３で製版された孔版原紙１０の先端を版胴１６の原紙クランプ部１８でクランプし、このクランプした状態で版胴１６が回転されて孔版原紙１０を版胴１６のスクリーン１９外周面に巻き付け着版する。
【００５２】
給紙部５では版胴１６及び紙胴１７の回転に同期して印刷用紙２２を搬送し、紙胴１７の用紙クランプ部２１で印刷用紙Ｐの先端をクランプした状態で版胴１６及び紙胴１７の間に搬送する。
【００５３】
一方、印刷部４では、印刷時に中押しロール４７を押圧位置に位置させ、版胴１６を回転させると、中押しロール４７がスクリーン１９の内周側を押圧しながらスクリーン１９の内周面上を回転する。中押しロール４２の外周面には常時インクが供給されるため、この回転によってスクリーン１９にはインクが転移される。また、中押しロール４２の押圧によってスクリーン１９は外周側に膨出し紙胴１７に圧接状態となる。そして、上記したように版胴１６及び紙胴１７との間に給紙部５より印刷用紙Ｐが搬送され、この搬送されてきた印刷用紙Ｐが中押しロール４２と紙胴１７との間でスクリーン１９及び孔版原紙１０と共に押圧されながら搬送される。この押圧搬送過程で印刷用紙Ｐに孔版原紙１０の孔部分からインクが転写されて画像が印刷される。印刷用紙Ｐの先端が中押しロール４７の位置を過ぎその下流まで来ると、用紙クランプ部２１が解除される。
【００５４】
排紙部６では、印刷用紙Ｐの先端側を上方規制ガイド部３１でガイドし、或いは、印刷用紙Ｐの先端側を用紙剥取り爪３２で紙胴１７より剥ぎ取り、その後、用紙搬送機構３３を介して印刷用紙Ｐが載置台３４の上方に排紙される。
【００５５】
また、排版部７では、新たな製版を開始するに際して、先の印刷用の孔版原紙１０が版胴１６のスクリーン１９外周面に巻き付け装着されている場合には、製版する前段階で版胴１６の原紙クランプ部１８を解除し、解除した孔版原紙１０の先端側を版胴１６を回転しながら排版誘導ベルト３５で導き、且つ、一対の排版搬送ベルト３６，３６によって搬送して排版ボックス３７に収納する。
【００５６】
上記動作において、大サイズの印刷用紙Ｐが印刷対象である場合には、載置台３４にカード排紙ボックス５０Ａを装着せずに、載置台３４上に大サイズ用前面フェンス３５ａ及び一対の大サイズ用サイドフェンス３５ｂ、３５ｂを立設する。そして、印刷完了した印刷用紙Ｐが載置台３４上に排紙されると、大サイズ用前面フェンス３５ａによって印刷用紙Ｐの先端面を規制し、一対の大サイズ用サイドフェンス３５ｂ，３５ｂが印刷用紙Ｐの左右の側面を規制し、これらによって印刷用紙Ｐが紙揃えした状態で載置台３４に積載される。
【００５７】
腰の強い小サイズの印刷用紙（カード状用紙）Ｐが印刷対象である場合には、図２に示すように、載置台３４上にカード排紙ボックス５０Ａを装着する。そして、印刷完了した印刷用紙Ｐが載置台３４上に排紙されると、図５に示すように、排紙された印刷用紙Ｐが跳ね返りフェンス５３に突き当たり（図５の印刷用紙Ｐの（１）姿勢参照）、突き当たった印刷用紙Ｐが印刷排出方向Ｔの反対方向に跳ね返る。この跳ね返った印刷用紙Ｐは、印刷排出方向Ｔの反対方向に進みつつ落下し、この落下過程で落下姿勢矯正部６０が印刷用紙Ｐの先端側の下面に干渉する（図５の印刷用紙Ｐの（２）姿勢参照）。この落下姿勢矯正部６０の干渉によって印刷用紙Ｐがその後端面ｐ２を下方とする落下姿勢となる（図５の印刷用紙Ｐの（３）姿勢参照）。
【００５８】
そして、印刷用紙Ｐの後端面ｐ２が後面規制フェンス５８に突き当たり、後面規制フェンス５８によって落下位置における印刷用紙Ｐの後端面ｐ２が規制される（図５の印刷用紙Ｐの（４）姿勢参照）。後面規制フェンス５８で後端面ｐ２が規制された印刷用紙Ｐは後端面ｐ２を支点として前方に倒れるように回転し、印刷用紙Ｐの先端面ｐ１が前面規制フェンス５７に突き当たり、前面規制フェンス５７が印刷用紙Ｐの落下位置での先端面ｐ１を規制する（図５の印刷用紙Ｐの（５）姿勢参照）。
【００５９】
このような挙動によって印刷完了した印刷用紙Ｐがカード排紙ボックス５０Ａ内の水平補助載置台５９上に順次落下される。ここで、後面規制フェンス５８と前面規制フェンス５７間の幅が上方位置になるに従って幅狭になっており、図６に示すように、積載枚数が増えるに従って印刷用紙Ｐの後端面ｐ２の高さ位置に対して先端面ｐ１が高い位置で前面規制フェンス５７に当接することから扇状に印刷用紙Ｐが積載される。従って、上下で隣接する印刷用紙Ｐ同士が隙間を空けて非接触状態や軽い接触状態で積載される。そして、このような扇状の積載を各種のフェンス及びそのフェンス間の寸法設定によってのみ実現している。これにより、インク裏移りを有効に防止でき、しかも、構成が簡易で、且つ、低コストであるという効果が得られる。
【００６０】
この実施形態では、落下姿勢矯正部６０は、前面規制フェンス５７の上端部であるので、構成の単純化及び部品点数の削減になる。
【００６１】
この実施形態では、カード排紙ボックス５０Ａは、印刷用紙Ｐの両側の側面を規制する左右一対のサイドフェンス５５，５５を有するので、積載される印刷用紙Ｐの幅方向を紙揃えできる。
【００６２】
この実施形態では、カード排紙ボックス５０Ａは、載置台３４に着脱自在に設けられたので、カード排紙ボックス５０Ａを装着することによってカード排紙ボックス５０Ａを利用した印刷用紙Ｐの積載が可能であり、また、カード排紙ボックス５０Ａを取り外すことにより載置台３４を利用した印刷用紙２２の積載が可能であり、便利である。
【００６３】
この実施形態では、カード排紙ボックス５０Ａは、少なくとも落下姿勢矯正部６０、後面規制フェンス５８及び前面規制フェンス５７が連結されたインナーフェンス体５２Ａと、少なくとも跳ね返りフェンス５３及び左右のサイドフェンス５５，５５が連結されたアウターフェンス体５１とから構成され、このアウターフェンス体５１にインナーフェンス体５２Ａが着脱自在に設けられたので、印刷用紙Ｐが積載されたインナーフェンス体５２Ａをアウターフェンス体５１より取り外すことにより積載された印刷用紙Ｐを容易に取り出すことができる。
【００６４】
図７〜図１０はカード排紙ボックスの第１変形例を示し、図７はカード排紙ボックス５０Ｂの分解斜視図、図８はカード排紙ボックス５０Ｂの断面図、図９は小サイズの印刷用紙Ｐが排紙されてから載置されるまでの飛行軌跡を説明する断面図、図１０は小サイズの印刷用紙Ｐの積載状態を示す断面図である。
【００６５】
図７〜図１０に示すように、第１変形例のカード排紙ボックス５０Ｂを前記実施形態のカード排紙ボックス５０Ａと比較するに、インナーフェンス体５２Ｂの構成が相違する。つまり、前面規制フェンス５７と後面規制フェンス５８との間の下面には、後面規制フェンス５８側から前面規制フェンス５７側に向かって水平方向に対して上方に傾斜された傾斜補助載置台６１が設けられている。尚、他の構成は、前記実施形態と同一であるため、同一構成箇所に同一符号を付してその詳細な説明を省略する。
【００６６】
この第１変形例のカード排紙ボックス５０Ｂを小サイズの印刷用紙Ｐの積載に利用した場合にも、前記実施形態と同様に、扇状に印刷用紙Ｐが積載されるため、上下で隣接する印刷用紙Ｐ同士が隙間を空けて非接触状態や軽い接触状態で積載される。そして、このような扇状の積載を各種のフェンス及びそのフェンス間の寸法設定によってのみ実現している。これにより、インク裏移りを有効に防止でき、しかも、構成が簡易で、且つ、低コストであるという効果が得られる。
【００６７】
この第１変形例では、カード排紙ボックス５０Ｂは、前面規制フェンス５７と後面規制フェンス５８との間の下面に配置され、後面規制フェンス５８側から前面規制フェンス５７側に向かって水平方向に対して上方に傾斜された傾斜補助載置台６１を有するので、最下位置の印刷用紙Ｐから傾斜して載置できる。このため、下方に積載される印刷用紙Ｐ間の非接触状態や軽い接触状態を促進でき、インク裏移りをより確実に防止できる。
【００６８】
図１１はカード排紙ボックスの第２変形例を示し、カード排紙ボックス５０Ｃの断面図である。
【００６９】
図１１に示すように、第２変形例のカード排紙ボックス５０Ｃを前記第１変形例のカード排紙ボックス５０Ｂと比較するに、インナーフェンス体５２Ｃの構成が相違する。つまり、前面規制フェンス５７と後面規制フェンス５８との間の下面には傾斜補助載置台６１が設けられている点で同一であるが、その傾斜補助載置台６１が後面規制フェンス５８と前面規制フェンス５７の中間位置まで設けられ、中間位置から前面規制フェンス５７までの間が指挿入スペース６２として形成されている点が相違する。尚、他の構成は前記実施形態と同一であるため、同一構成箇所に同一符号を付してその詳細な説明を省略する。
【００７０】
この第２変形例のカード排紙ボックス５０Ｃを小サイズの印刷用紙Ｐの積載に利用した場合にも、前記第１変形例と同様に、扇状に印刷用紙Ｐが載置され、しかも、最下位置の印刷用紙Ｐから傾斜して載置されるため、上下で隣接する印刷用紙Ｐ同士が隙間を空けて非接触状態や軽い接触状態で積載される。そして、このような扇状の積載を各種のフェンス及びそのフェンス間の寸法設定によってのみ実現している。これにより、インク裏移りを有効に防止でき、しかも、構成が簡易で、且つ低コストであるという効果が得られる。
【００７１】
この第２変形例では、インナーフェンス体５２Ｃをアウターフェンス体５１から取り出し、インナーフェンス体５２Ｃ内に積載された印刷用紙Ｐを指挿入スペース６２に指を入れて容易に掴むことができ、印刷用紙Ｐの取扱い性の向上になっている。
【００７２】
尚、前記実施形態のカード排紙ボックス５０Ａ〜５０Ｃは、一般に腰の強い小サイズの印刷用紙Ｐの積載に適用するようになっているが、腰が強いものであれば大サイズの印刷用紙Ｐの積載にも適用可能である。また、前記実施形態では、本発明の排紙装置を、孔版印刷装置１の排紙部６に適用した場合を示したが、孔版以外の印刷装置に適用できることは勿論のこと、印刷装置以外の排紙部、つまり、複写機等のように所定の画像処理等がなされた用紙が排紙され、この排紙された用紙を紙揃えして積載する必要がある排紙部にも同様に適用できる。
【図面の簡単な説明】
【００７３】
【図１】本発明の一実施形態を示し、孔版印刷装置の全体概略構成図である。
【図２】本発明の一実施形態を示し、載置台上にカード排紙ボックスが設置された状態を示す斜視図である。
【図３】本発明の一実施形態を示し、カード排紙ボックスの分解斜視図である。
【図４】本発明の一実施形態を示し、カード排紙ボックスの断面図である。
【図５】本発明の一実施形態を示し、小サイズの印刷用紙が排紙されてから載置されるまでの落下軌跡を説明する断面図である。
【図６】本発明の一実施形態を示し、小サイズの印刷用紙の積載状態を示す断面図である。
【図７】第１変形例のカード排紙ボックスの分解斜視図である。
【図８】第１変形例のカード排紙ボックスの断面図である。
【図９】第１変形例のカード排紙ボックスを使用した場合における、小サイズの印刷用紙が排紙されてから載置されるまでの落下軌跡を説明する断面図である。
【図１０】第１変形例のカード排紙ボックスを使用した場合における、小サイズの印刷用紙の積載状態を示す断面図である。
【図１１】第２変形例のカード排紙ボックスの断面図である。
【図１２】従来例の小サイズ排紙装置の断面図である。
【図１３】従来例の小サイズ排紙装置の断面図である。
【図１４】他の従来例の小サイズ排紙ボックスの斜視図である。
【図１５】他の従来例の小サイズ排紙ボックスの断面図である。
【符号の説明】
【００７４】
１  孔版印刷装置（印刷装置）
６  排紙部（排紙装置）
３４  載置台
５０Ａ，５０Ｂ，５０Ｃ  カード排紙ボックス
５１  アウターフェンス体
５２Ａ，５２Ｂ，５２Ｃ  インナーフェンス体
５３  跳ね返りフェンス
５５  サイドフェンス
５７  前面規制フェンス
５８  後面規制フェンス
６０  落下姿勢矯正部
６１  傾斜補助載置台
Ｐ  印刷用紙
ｐ１  先端面
ｐ２  後端面
【図１】
2006151566.tif 000003
【図２】
2006151566.tif 000004
【図３】
2006151566.tif 000005
【図４】
2006151566.tif 000006
【図５】
2006151566.tif 000007
【図６】
2006151566.tif 000008
【図７】
2006151566.tif 000009
【図８】
2006151566.tif 000010
【図９】
2006151566.tif 000011
【図１０】
2006151566.tif 000012
【図１１】
2006151566.tif 000013
【図１２】
2006151566.tif 000014
【図１３】
2006151566.tif 000015
【図１４】
2006151566.tif 000016
【図１５】
2006151566.tif 000017